(57)【要約】【課題】パソコンを天板上に設置して使用するテーブルにおいて、パソコン本体と様々な電子機器を情報線で接続し、かつ各々の電子機器を電力線と繋げようとする際に、テーブル天板上の作業スペースが配線と電子機器で占有されてしまわないようにすることである。【解決手段】パソコン５ａは、テーブルタップ７ａを通じて通電されるとともに、情報配線のハブ６ａを通じて電子機器７ｃと接続される。また、電子機器７ｃはテーブルタップ７ａ’を通じて通電される。そのとき、電子機器７ｃとその配線は、スライド天板３ａ付きの収納スペース１と蓋２ｃつきの配線ダクトスペース２ａに収納される。スライド天板３ａには天板窓３ｂがついているため、収納スペース１に収納された電子機器７ｃの状態が確認できる。このようなスライド天板３ａ付きの収納スペース１および配線ダクトスペース２ａを天板直下の水平方向に設置することで、パソコン５ａに接続する電子機器７ａや様々な配線を天板直下に収納し、天板上の作業スペースを確保することが可能になる。【選択図】図１
2014091030.tif 000002
【特許請求の範囲】
【請求項１】
パソコン５ａと接続された様々な電子機器とその情報線、電力線などの配線をまとめて収納する手段を有するパソコン用テーブルにおいて、
テーブル脚部の配線口４ａから繋がる、パソコン操作者の対向側の天板直下の水平方向  に設置された配線ダクトスペース２ａと、
配線ダクトスペース２ａと天板直下の空間で繋がるスライド天板３ａ付きの収納スペース１と、を設けたことを特徴とするパソコン用テーブル。
【請求項２】
上記収納スペース１をパソコン操作者の手前側の天板直下の水平方向に設置するとともに、当該収納スペース１と上記配線ダクトスペース２ａとを、天板直下にて一体的に繋げたことを特徴とする請求項１に記載のパソコン用テーブル。
【請求項３】
上記スライド天板３ａは、開けた状態では上記収納スペース１に収納した電子機器の出し入れを容易にするのに十分な大きさを有し、閉じた状態で前期収納スペース１に収納された電子機器の状態が確認できる天板窓３ｂを有した、請求項１又は２に記載のパソコン用テーブル。
【発明の詳細な説明】
【技術分野】
【０００１】  本発明は、テーブルの天板直下に電力線と情報線を容易に収容できる配線ダクトと様々な電子機器を電力線、情報線に繋げた状態で収納できる収納スペースを持つ、パソコン用テーブルの構造に関するものである。
【背景技術】
【０００２】  パソコン用テーブルの中には、天板の一部開口部から電力線あるいは情報線を引き込むことができる機能を持つものが多数、存在している。こうしたパソコン用テーブルはパソコン単体への情報線や電力線を接続する目的には十分な装備であった。【０００３】しかし、昨今の情報環境の進化により、パソコンが設置されるテーブル天板上には記憶用ハードディスクやスマートフォン、デジタルカメラなど、様々な電子機器が置かれ、さらにそれらの電子機器に接続される複数の電力線と情報線がテーブル天板上を占有することが日常化している。
このような様々な電子機器は、充電する時には電力線の配線が必要になり、パソコンとデータを同期させる時には情報線の配線が必要になるが、それらの配線はテーブル天板上で行うしかなく、その間、テーブル天板上には様々な電子機器と配線が放置された状態になり、作業スペースが占有され、他の作業がやりにくくなるという欠点があった。【０００４】日常的にパソコンと様々な電子機器を使用する用途において、この欠点はテーブル本来の目的である、テーブル天板上での他の作業効率を大きく損なうという問題があった。【０００５】  この改善策として、様々な電子機器をテーブル天板の直下に収納しながら、それらの電子機器の充電とそれらの電子機器とパソコンとのデータ同期がどちらも簡易にできるような配線機能を持ったパソコン用テーブルの発明が求められる。
【発明の概要】
【発明が解決しようとする課題】
【０００６】  解決しようとする課題は、パソコンを天板上に設置して使用するテーブルにおいて、パソコン本体と様々な電子機器を情報線でデータ同期させたり、それらの電子機器を電力線と繋げて充電しようとする際に、テーブル天板上の作業スペースが配線と電子機器で占有されてしまわないようにすることである。
【課題を解決するための手段】
【０００７】本発明は、パソコン５ａと接続された様々な電子機器とその電力線、情報線などの配線をまとめて収納する手段を有するパソコン用テーブルにおいて、
テーブル脚部の配線口４ａから繋がる、パソコン操作者の対向側の天板直下の水平方向  に設置された配線ダクトスペース２ａと、
配線ダクトスペース２ａと天板直下の空間で繋がるスライド天板３ａ付きの収納スペース１と、を設けたことを特徴とするパソコン用テーブルである。
更に、本発明は、収納スペース１をパンコン操作者の手前側の天板直下の水平方向に設置するとともに、収納スペース１と配線ダクトスペース２ａとを天板直下にて一体的に繋げた構造を有することもでき、また、スライド天板３ａは、開けた状態では収納スペース１に収納した電子機器の出し入れを容易にするのに十分な大きさを有し、閉じた状態で収納スペース１に収納された電子機器の状態が確認できる天板窓３ｂを有したものとすることもできる。
【発明の効果】
【０００８】  本発明のパソコン用テーブルは、天板直下に電子機器を収納できる収納スペースを有するとともに、操作者の対向側の天板直下に水平方向に設置され、かつ収納スペースに空間的に繋がった配線ダクトスペースを併せ持つため、配線された状態の電子機器とその配線をまとめてテーブル天板直下に容易に収納することができるという利点がある。さらに、その配線ダクトスペースはテーブル脚部の内部スペースにも空間的に繋がっており、テーブル天板直下に収納される全ての電子機器の電力線および情報線を配線ダクトスペースを通し、そこから繋がるテーブル脚部の内部を通し、さらにテーブル脚部の下部に開口された配線口を通して端末部を導出し、テーブル外部の電源コンセントおよび情報ネットワークに繋ぐことができる利点がある。
【図面の簡単な説明】
【０００９】
【図１】パソコン用テーブルの第１実施例を示した説明図である。
【図２】パソコン用テーブルの天板を示した説明図であり、２−１はスライド天板３ａと蓋２ｃを閉じた状態を示し、２−２はスライド天板３ａと蓋２ｃを開けた状態を示す。
【図３】パソコン用テーブルの天板直下の天板内部図を示した説明図である。
【発明を実施するための形態】
【００１０】  パソコン５ａと接続された様々な電子機器７ｃとその電力線、情報線等の配線をまとめて天板直下に収納し、かつ各電子機器を取り出しやすくするという目的を、テーブル脚部の配線口４ａから繋がる天板直下に水平方向に広がる配線ダクトスペース２ａと、そこと空間的に繋がるスライド天板３ａ付きの収納スペース１を設けることで実現させた。
【実施例１】
【００１１】  図１は、本発明に係る第１実施例のパソコン用テーブルの斜視図であって、符号１は収納スペース、２ａは配線ダクトスペース、２ｂは配線ダクトスペース２ａ内の配線口、２ｃは蓋、３ａはスライド天板、３ｂは天板窓、４ａはテーブル脚部の配線口、４ｂは埃防止ソックス、５ａはパソコン、５ｂは情報配線のハブのパソコン５ａ側のコネクタ、５ｃはパソコン５ａの電力線、６ａは情報配線のハブ、６ｂは電子機器の情報線のコネクタ、７ａは電源用のテーブルタップ、７ｂは各電子機器の電源プラグ、７ｃは電子機器である。【００１２】パソコン５ａは、配線口４ａの外から通電されたテーブルタップ７ａに電源プラグを差し込むことにより通電される。また、情報配線のハブ６ａのコネクタ５ｂをパソコン５ａの情報線ソケットに差し込むことにより、情報配線のハブ６ａへ接続された電子機器の情報線６ｂと繋がり、パソコン５ａと電子機器とが接続された状態となる。そのとき、情報配線のハブ６ａと電子機器の情報線のコネクタ６ｂとテーブルタップ７ａ’と電子機器の電源プラグ７ｂは蓋２ｃが付いた配線ダクトスペース２ａに収納され、電子機器７ｃはスライド天板３ａ付きの収納スペース１に収納される。【００１３】  電子機器７ｃは、スライド天板３ａ付きの収納スペース１に収納され、配線口の外から通電されたテーブルタップ７ａ’により通電されるとともに、パソコン５ａに接続された情報配線のハブ６ａに情報コネクタ６ｂを接続することによって、パソコン５ａと接続された状態が保てる。そして、電子機器７ｃは、スライド天板３ａが付いた収納スペース１へ収納され、電子機器の情報線のコネクタ６ｂと情報配線のハブ６ａは蓋２ｃつきの配線ダクトスペース２ａに収納される。スライド天板３ａには収納スペース１の内部が見通せる天板窓３ｂがついているため、そこに収納された電子機器７ｃの様子が監視できる。また、電子機器７ｃを取り出す際にはスライド天板３ａを開けることで容易に収納スペース１から取り出せる構造となっている。【００１４】以上のような収納スペース１および配線ダクトスペース２ａを天板直下に設置することで、パソコン５ａに接続する電子機器７ｃや様々な配線を天板直下に収納し、天板上の作業スペースを十分に確保することが可能になる。さらに、スライド天板３ａと配線ダクトスペース２ａの蓋２ｃは、いずれも天板面に対して凸凹なく水平面を保つ構造とし、天板上の作業しやすさに配慮している。【００１５】配線ダクトスペース２ａには可動式の蓋２ｃを設置、テーブル脚部の配線口４ａには埃防止ソックス４ｂを設置するなど、埃の侵入の防止機能を装備するとともに、美観を損ねないように乱雑さを隠す機能を装備している。
【符号の説明】
【００１６】１  収納スペース
２ａ配線ダクトスペース
２ｂ配線ダクトスペース内の配線口
２ｃ蓋
３ａスライド天板
３ｂ天板窓
４ａテーブル脚部の配線口
４ｂ埃防止ソックス
５ａパソコン
５ｂ情報配線のハブのパソコン側のコネクタ
５ｃパソコンの電力線
６ａ情報配線のハブ
６ｂ電子機器の情報線のコネクタ
７ａパソコン側の電源用のテーブルタップ
７ａ’電子機器側の電源用のテーブルタップ
７ｂ各電子機器の電源プラグ
７ｃ電子機器
【図１】
2014091030.tif 000003
【図２】
2014091030.tif 000004
【図３】
2014091030.tif 000005